(57)【要約】【課題】携帯機を所持した使用者が建物の出入口を通過する際、報知を行うことによって、携帯機の携帯し忘れを防止することができる報知システムを提供する。【解決手段】通過報知システムは、車両ドアの施解錠用の携帯機２と、建物Ｂの出入口Ｂ１に設置されており、携帯機２との間で無線通信を行う通信装置３とを備える。通信装置３は、携帯機２の通過を確認するための確認信号を送信する確認信号送信部を備える。携帯機２は、通信装置３から送信された確認信号を受信する確認信号受信部と、確認信号受信部にて確認信号を受信した場合、携帯機２が出入口Ｂ１を通過する旨を報知する報知部とを備える。【選択図】図１
2017174338.tif 000002
【特許請求の範囲】
【請求項１】
車両ドアの施解錠用の携帯機と、建物の出入口に設置されており、前記携帯機との間で無線通信を行う通信装置とを備え、前記携帯機が前記出入口を通過する旨を報知する通過報知システムであって、
前記通信装置は、
前記携帯機の通過を確認するための確認信号を送信する確認信号送信部を備え、
前記携帯機は、
前記通信装置から送信された確認信号を受信する確認信号受信部と、
該確認信号受信部にて確認信号を受信した場合、前記携帯機が前記出入口を通過する旨を報知する報知部と
を備える通過報知システム。
【請求項２】
前記通信装置は、
前記出入口に設けられた出入口ドアの開閉を検出する検出部を備え、
前記確認信号送信部は、
前記検出部にて前記出入口ドアの開扉を検出した場合、前記確認信号を送信する
請求項１に記載の通過報知システム。
【請求項３】
前記報知部は、
自装置を振動させる振動部又は音を発する音声出力部を含む
請求項１又は請求項２に記載の通過報知システム。
【請求項４】
車両ドアの施解錠用の携帯機と、建物の出入口に設置されており、前記携帯機との間で無線通信を行う通信装置とを備え、前記携帯機が前記出入口を通過し又は通過していない旨を報知する通過報知システムであって、
前記通信装置は、
前記携帯機の通過を確認するための確認信号を送信する確認信号送信部を備え、
前記携帯機は、
前記通信装置から送信された確認信号を受信する確認信号受信部と、
前記確認信号受信部にて確認信号を受信した場合、応答信号を送信する応答信号送信部と
を備え、
更に、前記通信装置は、
前記携帯機から送信された応答信号を受信する応答信号受信部と、
該応答信号受信部による応答信号の受信状況に応じて、前記携帯機が前記出入口を通過し又は通過していない旨を報知する報知器と
を備える通過報知システム。
【請求項５】
前記通信装置は、
前記出入口に設けられた出入口ドアの開閉を検出する検出部を備え、
前記確認信号送信部は、
前記検出部にて前記出入口ドアの開扉を検出した場合、前記確認信号を送信する
請求項４に記載の通過報知システム。
【請求項６】
前記報知器は、
前記応答信号受信部にて応答信号を受信した場合、前記携帯機が前記出入口を通過する旨を報知する
請求項４又は請求項５に記載の通過報知システム。
【請求項７】
前記報知器は、
前記確認信号の送信後、前記応答信号受信部にて応答信号を受信しない場合、前記携帯機が前記出入口を通過していない旨を報知する
請求項５に記載の通過報知システム。
【請求項８】
建物の出入口に設置されており、車両ドアの施解錠用の携帯機との間で無線通信を行う通信装置であって、
前記携帯機の通過を確認するための確認信号を送信する確認信号送信部を備える
通信装置。
【請求項９】
建物の出入口に設置されており、車両ドアの施解錠用の携帯機との間で無線通信を行う通信装置であって、
前記携帯機の通過を確認するための確認信号を送信する確認信号送信部と、
前記確認信号に応じて前記携帯機から送信された応答信号を受信する応答信号受信部と、
該応答信号受信部による応答信号の受信状況に応じて、前記携帯機が前記出入口を通過し又は通過していない旨を報知する報知器と
を備える通信装置。
【請求項１０】
車両ドアの施解錠用の携帯機であって、
建物の出入口を通過したことを確認するために外部の通信装置から送信された確認信号を受信する確認信号受信部と、
該確認信号受信部にて確認信号を受信した場合、自機が前記出入口を通過する旨を報知する報知部と
を備える携帯機。
【発明の詳細な説明】
【技術分野】
【０００１】
本発明は、車両ドアの施解錠用の携帯機が建物の出入口を通過した旨、又は通過していない旨を報知する通過報知システム、通信装置及び携帯機に関する。
【背景技術】
【０００２】
メカニカルキーを用いずに車両ドアの施錠及び解錠を行う車両用通信システムが実用化されている。具体的には、使用者が所持する携帯機を用いた無線遠隔操作により車両ドアの施解錠を行うキーレスエントリシステム、携帯機を所持した使用者が車両に近づき、又はドアハンドルを握るだけで車両ドアの施解錠を行うスマートエントリ（登録商標）システム等が実用化されている。
【０００３】
かかる車両用通信システムにおいては、携帯機を携帯しておくだけで、車両の施解錠を行うことができるため、携帯機は、カバン、財布、上着のポケット等に入れたままにされることが多い。このため、使用者が携帯機を携帯し忘れたまま車両へ向かうと、車両ドアの施解錠が行えない状況に直面するまで、携帯し忘れに気が付かないことが多くなっている。
【０００４】
かかる問題を解決する技術として、特許文献１には、加速度センサを備え、一定の規定時間以上静止した後に自装置の移動が検知された場合、振動し、又は音を発する携帯機が開示されている。
【先行技術文献】
【特許文献】
【０００５】
【特許文献１】特開２００６−６３６７６号公報
【発明の概要】
【発明が解決しようとする課題】
【０００６】
しかしながら、特許文献１に係る携帯機においては、使用者が意図しない時に携帯機が動作してしまうという問題があった。
また、携帯機を携帯している使用者が移動を続けている状況においては、携帯機は動作せず、使用者は携帯機を携帯しているのか否かを認識することができないという問題があった。
【０００７】
本発明の目的は、携帯機を所持した使用者が建物の出入口を通過する際、又は携帯機を所持していない使用者が建物の出入口を通過する際、報知を行うことによって、携帯機の携帯し忘れを防止することができる通過報知システム、通信装置及び携帯機を提供することにある。
【課題を解決するための手段】
【０００８】
本態様に係る通過報知システムは、車両ドアの施解錠用の携帯機と、建物の出入口に設置されており、前記携帯機との間で無線通信を行う通信装置とを備え、前記携帯機が前記出入口を通過する旨を報知する通過報知システムであって、前記通信装置は、前記携帯機の通過を確認するための確認信号を送信する確認信号送信部を備え、前記携帯機は、前記通信装置から送信された確認信号を受信する確認信号受信部と、該確認信号受信部にて確認信号を受信した場合、前記携帯機が前記出入口を通過する旨を報知する報知部とを備える。
【０００９】
本態様に係る通過報知システムは、車両ドアの施解錠用の携帯機と、建物の出入口に設置されており、前記携帯機との間で無線通信を行う通信装置とを備え、前記携帯機が前記出入口を通過し又は通過していない旨を報知する通過報知システムであって、前記通信装置は、前記携帯機の通過を確認するための確認信号を送信する確認信号送信部を備え、前記携帯機は、前記通信装置から送信された確認信号を受信する確認信号受信部と、前記確認信号受信部にて確認信号を受信した場合、応答信号を送信する応答信号送信部とを備え、更に、前記通信装置は、前記携帯機から送信された応答信号を受信する応答信号受信部と、該応答信号受信部による応答信号の受信状況に応じて、前記携帯機が前記出入口を通過し又は通過していない旨を報知する報知器とを備える。
【００１０】
本態様に係る通信装置は、建物の出入口に設置されており、車両ドアの施解錠用の携帯機との間で無線通信を行う通信装置であって、前記携帯機の通過を確認するための確認信号を送信する確認信号送信部を備える。
【００１１】
本態様に係る通信装置は、建物の出入口に設置されており、車両ドアの施解錠用の携帯機との間で無線通信を行う通信装置であって、前記携帯機の通過を確認するための確認信号を送信する確認信号送信部と、前記確認信号に応じて前記携帯機から送信された応答信号を受信する応答信号受信部と、該応答信号受信部による応答信号の受信状況に応じて、前記携帯機が前記出入口を通過し又は通過していない旨を報知する報知器とを備える。
【００１２】
本態様に係る携帯機は、車両ドアの施解錠用の携帯機であって、建物の出入口を通過したことを確認するために外部の通信装置から送信された確認信号を受信する確認信号受信部と、該確認信号受信部にて確認信号を受信した場合、自機が前記出入口を通過する旨を報知する報知部とを備える。
【００１３】
なお、本願は、このような特徴的な処理部を備える通過報知システム、通信装置及び携帯機として実現することができるだけでなく、かかる特徴的な処理をステップとする通過報知方法として実現したり、かかるステップをコンピュータに実行させるためのプログラムとして実現したりすることができる。また、通過報知システム、通信装置及び携帯機の一部又は全部を実現する半導体集積回路として実現したり、通過報知システム、通信装置及び携帯機を含むその他のシステムとして実現したりすることができる。
【発明の効果】
【００１４】
上記によれば、携帯機を所持した使用者が建物の出入口を通過する際、又は携帯機を所持していない使用者が建物の出入口を通過する際、報知を行うことによって、携帯機の携帯し忘れを防止することができる通過報知システム、通信装置及び携帯機を提供する。
【図面の簡単な説明】
【００１５】
【図１】本発明の実施形態１に係る通過報知システムの一構成例を示す模式図である。
【図２】本発明の実施形態１に係る車両用通信システムの一構成例を示す模式図である。
【図３】本発明の実施形態１に係る車載機の一構成例を示すブロック図である。
【図４】本発明の実施形態１に係る携帯機の一構成例を示すブロック図である。
【図５】本発明の実施形態１に係る通信装置の一構成例を示すブロック図である。
【図６】本発明の実施形態１に係る携帯機の通過報知処理の手順を示すフローチャートである。
【図７】本発明の実施形態２に係る通信装置の一構成例を示すブロック図である。
【図８】本発明の実施形態２に係る携帯機の通過報知処理の手順を示すフローチャートである。
【図９】本発明の実施形態３に係る携帯機の通過報知処理の手順を示すフローチャートである。
【発明を実施するための形態】
【００１６】
［本発明の実施形態の説明］
最初に本発明の実施態様を列記して説明する。また、以下に記載する実施形態の少なくとも一部を任意に組み合わせてもよい。
【００１７】
（１）本態様に係る通過報知システムは、車両ドアの施解錠用の携帯機と、建物の出入口に設置されており、前記携帯機との間で無線通信を行う通信装置とを備え、前記携帯機が前記出入口を通過する旨を報知する通過報知システムであって、前記通信装置は、前記携帯機の通過を確認するための確認信号を送信する確認信号送信部を備え、前記携帯機は、前記通信装置から送信された確認信号を受信する確認信号受信部と、該確認信号受信部にて確認信号を受信した場合、前記携帯機が前記出入口を通過する旨を報知する報知部とを備える。
【００１８】
本態様によれば、建物の出入口に設置された通信装置は、確認信号を送信する。携帯機は、確認信号を受信した場合、自装置が出入口を通過する旨を報知する。
従って、当該出入口を通過する使用者は携帯機を所持していることを認識することができる。
【００１９】
（２）前記通信装置は、前記出入口に設けられた出入口ドアの開閉を検出する検出部を備え、前記確認信号送信部は、前記検出部にて前記出入口ドアの開扉を検出した場合、前記確認信号を送信する構成が好ましい。
【００２０】
本態様によれば、通信装置は、出入口ドアが開いた際に確認信号を送信し、携帯機は、確認信号を受信した場合、自装置が出入口を通過する旨を報知する。
従って、出入口ドアが開いていない状態で、携帯機が無意味な報知を行うことは無い。
【００２１】
（３）前記報知部は、自装置を振動させる振動部又は音を発する音声出力部を含む構成が好ましい。
【００２２】
本態様によれば、携帯機は振動又は音によって、自装置が出入口を通過する旨を報知することができる。
【００２３】
（４）本態様に係る通過報知システムは、車両ドアの施解錠用の携帯機と、建物の出入口に設置されており、前記携帯機との間で無線通信を行う通信装置とを備え、前記携帯機が前記出入口を通過し又は通過していない旨を報知する通過報知システムであって、前記通信装置は、前記携帯機の通過を確認するための確認信号を送信する確認信号送信部を備え、前記携帯機は、前記通信装置から送信された確認信号を受信する確認信号受信部と、前記確認信号受信部にて確認信号を受信した場合、応答信号を送信する応答信号送信部とを備え、更に、前記通信装置は、前記携帯機から送信された応答信号を受信する応答信号受信部と、該応答信号受信部による応答信号の受信状況に応じて、前記携帯機が前記出入口を通過し又は通過していない旨を報知する報知器とを備える。
【００２４】
本態様によれば、建物の出入口に設置された通信装置は、確認信号を送信する。携帯機は、確認信号を受信した場合、応答信号を通信装置へ送信する。通信装置は、応答信号を受信した場合、携帯機が出入口にある旨を報知する。また、通信装置は、確認信号を送信したにも拘わらず、応答信号を受信しない場合、携帯機が出入口に無い旨を報知することもできる。
従って、当該出入口を通過する使用者は携帯機を所持していること、又は携帯機を所持していないことを認識することができる。例えば、報知器は、携帯機が出入口付近に無い場合、赤色で発光し、携帯機が出入口付近にある場合、青色で発光することによって、携帯機の所持及び非所持を報知することができる。なお、報知器は、携帯機の存在のみを報知しても良いし、携帯機の不存在のみを通知しても良い。
【００２５】
（５）前記通信装置は、前記出入口に設けられた出入口ドアの開閉を検出する検出部を備え、前記確認信号送信部は、前記検出部にて前記出入口ドアの開扉を検出した場合、前記確認信号を送信する構成が好ましい。
【００２６】
本態様によれば、通信装置は、出入口ドアが開いた際に確認信号を送信し、携帯機からの応答信号の受信状況に応じた、報知を行う。
従って、出入口ドアが開いていない状態で、通信装置が無意味な報知を行うことは無い。
【００２７】
（６）前記報知器は、前記応答信号受信部にて応答信号を受信した場合、前記携帯機が前記出入口を通過する旨を報知する構成が好ましい。
【００２８】
本態様によれば、通信装置は、応答信号を受信した場合、携帯機が出入口を通過する旨を報知することができる。
【００２９】
（７）前記報知器は、前記確認信号の送信後、前記応答信号受信部にて応答信号を受信しない場合、前記携帯機が前記出入口を通過していない旨を報知する構成が好ましい。
【００３０】
本態様によれば、通信装置は、応答信号を受信しない場合、携帯機が出入口を通過していない旨を報知する。
【００３１】
（８）本態様に係る通信装置は、建物の出入口に設置されており、車両ドアの施解錠用の携帯機との間で無線通信を行う通信装置であって、前記携帯機の通過を確認するための確認信号を送信する確認信号送信部を備える。
【００３２】
本態様によれば、態様（１）と同様、携帯機は、自装置が出入口を通過する旨を報知することができ、当該出入口を通過する使用者は携帯機を所持していることを認識することができる。
【００３３】
（９）本態様に係る通信装置は、建物の出入口に設置されており、車両ドアの施解錠用の携帯機との間で無線通信を行う通信装置であって、前記携帯機の通過を確認するための確認信号を送信する確認信号送信部と、前記確認信号に応じて前記携帯機から送信された応答信号を受信する応答信号受信部と、該応答信号受信部による応答信号の受信状況に応じて、前記携帯機が前記出入口を通過し又は通過していない旨を報知する報知器とを備える。
【００３４】
本態様によれば、態様（２）と同様、通信装置は、携帯機が出入口を通過する旨又は通過していない旨を報知することができ、当該出入口を通過する使用者は携帯機を所持し、又は所持していないことを認識することができる。
【００３５】
（１０）本態様に係る携帯機は、車両ドアの施解錠用の携帯機であって、建物の出入口を通過したことを確認するために外部の通信装置から送信された確認信号を受信する確認信号受信部と、該確認信号受信部にて確認信号を受信した場合、自機が前記出入口を通過する旨を報知する報知部とを備える。
【００３６】
本態様によれば、態様（１）と同様、携帯機は、自装置が出入口を通過する旨を報知することができ、当該出入口を通過する使用者は携帯機を所持していることを認識することができる。
【００３７】
［本発明の実施形態の詳細］
本発明の実施形態に係る車両用制御システムの具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。
【００３８】
（実施形態１）
図１は、本発明の実施形態１に係る通過報知システムの一構成例を示す模式図である。本実施形態１に係る通過報知システムは、車両Ｃに搭載された車載機１と無線通信を行い車両ドアの施解錠を行うための携帯機２と、建物Ｂの出入口Ｂ１に設置されており、携帯機２との間で無線通信を行う通信装置３とを備える。通過報知システムは、通信装置３と、携帯機２とが無線通信を行うことによって、携帯機２が建物Ｂの出入口Ｂ１を通過した旨を報知する。具体的には、通信装置３は、出入口Ｂ１のドアの開扉を検出した場合、携帯機２の通過を確認するための確認信号を、ＬＦ（Low Frequency）帯の電波を用いて送信する。以下、出入口Ｂ１に設けられたドアを出入口ドアＢ２と呼ぶ。出入口Ｂ１付近に、使用者Ａが所持する携帯機２が存在していた場合、携帯機２は通信装置３から送信された確認信号を受信する。ＬＦ帯の電波で送信される確認信号を携帯機２が受信できる範囲は、通信装置３を中心に数ｍ以内の範囲であるため、出入口ドアＢ２を開いた使用者Ａが携帯機２を所持していない場合、携帯機２は確認信号を受信することができない。確認信号を受信した携帯機２は、振動及び音によって、携帯機２が出入口Ｂ１を通過する旨を使用者Ａに報知することができる。
【００３９】
以下、主に、車載機１及び携帯機２からなる車両用通信システムの各構成を先に説明し、次いで、通過報知システムを構成する通信装置の詳細を説明する。
図２は、本発明の実施形態１に係る車両用通信システムの一構成例を示す模式図である。車両用通信システムは、車両Ｃに設けられた複数のＬＦ送信アンテナ４及びＲＦ受信アンテナ１０を用いて各種信号を送受信する車載機１と、当該車載機１との間で信号を送受信する携帯機２とを備える。車載機１は、車両ドアに設けられたリクエストスイッチ５（図３参照）が操作された場合、携帯機２と無線通信を行うことによって、携帯機２が車内にあるか否かを判定し、携帯機２が車外にある場合、車両ドアの施解錠を行う。
【００４０】
複数のＬＦ送信アンテナ４は、例えば、運転席側のピラー、助手席側のピラー、車両Ｃの前部及び後部に配されている。運転席側のピラー及び助手席側のピラーに設けられたＬＦ送信アンテナ４は、主に車外へ信号を送信する車外アンテナであり、車両Ｃの前部及び後部に設けられたＬＦ送信アンテナ４は、主に車内へ信号を送信する車内アンテナである。各ＬＦ送信アンテナ４はＬＦ帯の電波を用いて信号を送信する。なおＬＦ帯は無線通信を行う際に用いる電波帯域の一例であり、必ずしもこれに限定されない。
【００４１】
本実施形態１に係る車載機１は、携帯機２が車内にあるか否かを判定するための信号を複数のＬＦ送信アンテナ４から無線信号を用いて順次送信する。携帯機２は、各ＬＦ送信アンテナ４から送信された信号を受信し、受信した各信号の受信信号強度を測定する。携帯機２は、測定された受信信号強度を含む応答信号をＵＨＦ（Ultra High Frequency）帯の電波を用いて車載機１へ送信する。車載機１は携帯機２から送信された応答信号を受信し、受信した応答信号に含まれる受信信号強度に基づいて、携帯機２が車内にあるか車外にあるかを判定する車内外判定を行い、判定結果に応じた所定処理を実行する。例えば、車載機１は、車両ドアの施解錠に係る処理を実行する。
【００４２】
図３は、本発明の実施形態１に係る車載機１の一構成例を示すブロック図である。車載機１は、該車載機１の各構成部の動作を制御する車載制御部１１を備える。車載制御部１１には、車載受信部１２、車載送信部１３及び記憶部１４が設けられている。
【００４３】
車載制御部１１は、例えば一又は複数のＣＰＵ（Central Processing Unit）、マルチコアＣＰＵ、ＲＯＭ（Read Only Memory）、ＲＡＭ（Random Access Memory）、入出力インタフェース、タイマ等を有するマイコンである。車載制御部１１のＣＰＵは入出力インタフェースを介して車載受信部１２、車載送信部１３、記憶部１４に接続している。車載制御部１１は記憶部１４に記憶されている後述のコンピュータプログラムを実行することにより、各構成部の動作を制御し、携帯機２の車内外判定、車内外判定に応じた所定処理を実行する。
【００４４】
記憶部１４は、ＥＥＰＲＯＭ（Electrically Erasable Programmable ROM）、フラッシュメモリ等の不揮発性メモリである。記憶部１４は、車載制御部１１が車載機１の各構成部の動作を制御することにより、車両ドアの施解錠に係る処理を実行するためのコンピュータプログラムを記憶している。
【００４５】
車載受信部１２には、ＲＦ受信アンテナ１０が接続されている。車載受信部１２は、携帯機２から無線により送信される応答信号等を、ＲＦ受信アンテナ１０を通じて受信する。車載受信部１２は、受信した応答信号等から搬送波の成分を除去して受信信号を抽出し、抽出された受信信号を車載制御部１１へ出力する回路である。搬送波としては３００ＭＨｚ〜３ＧＨｚのＵＨＦ帯の電波を使用するが、この周波数帯に限定するものでは無い。
【００４６】
車載送信部１３は、搬送波を用いて、車載制御部１１から出力された信号を無線信号に変調し、各ＬＦ送信アンテナ４から携帯機２へ送信する回路である。搬送波としては３０ｋＨｚ〜３００ｋＨｚのＬＦ帯を使用するが、この周波数帯に限定するものでは無い。
【００４７】
また、車載機１には、リクエストスイッチ５及びドア施錠装置６が接続されている。車載制御部１１には、リクエストスイッチ５の操作状態に応じたリクエスト信号が入力し、車載制御部１１は入力したリクエスト信号に基づいて、リクエストスイッチ５の操作状態を認識することができる。リクエストスイッチ５は、例えば、運転席側又は助手席側の車両ドアを施錠又は解錠するためのスイッチであり、運転席外側又は助手席外側のドアハンドルに設けられている。
【００４８】
ドア施錠装置６は、各ドアの施錠及び解錠を行う施錠機構と、該施錠機構を駆動するアクチュエータとを備える。リクエストスイッチ５が操作された場合、車載制御部１１は、携帯機２と無線通信を行うことによって、携帯機２の位置を検出し、正規の携帯機２がリクエストスイッチ５の車外近傍に位置している場合、各ドアのアクチュエータへ施錠駆動信号又は解錠駆動信号を出力する。ドア施錠装置６は施錠駆動信号又は解錠駆動信号に従って、各ドアを施錠し又は解錠する。
【００４９】
図４は、本発明の実施形態１に係る携帯機２の一構成例を示すブロック図である。携帯機２は、該携帯機２の各構成部の動作を制御する携帯制御部２１を備える。携帯制御部２１は、例えば一又は複数のＣＰＵ、マルチコアＣＰＵ等を有するマイコンである。携帯制御部２１には、携帯受信部２２、携帯送信部２３、携帯記憶部２４、受信信号強度測定部２５及び報知部２６が設けられている。
【００５０】
携帯制御部２１は、携帯記憶部２４に記憶されている後述の制御プログラムを読み出し、各構成部の動作を制御することにより、各構成部の動作を制御し、車載機１に対する携帯機２の位置検出に必要な情報を車載機１へ送信する処理を実行する。また、携帯制御部２１は、携帯機２が出入口Ｂ１を通過する旨を報知する処理を実行する。
【００５１】
携帯記憶部２４は、記憶部１４と同様の不揮発性メモリである。携帯記憶部２４は、携帯制御部２１が携帯機２の各構成部の動作を制御することにより、携帯機２の位置を検出するための情報を含む応答信号等を車載機１へ送信する処理、携帯機２が出入口Ｂ１を通過する旨を報知する処理を実行するための制御プログラムを記憶している。
【００５２】
携帯受信部２２はＬＦ受信アンテナ２２ａに接続されており、車載機１からＬＦ帯の電波を用いて送信された位置検出用の信号等の各種信号を受信し、携帯制御部２１へ出力する。また、携帯受信部２２は、通信装置３からＬＦ帯の電波を用いて送信された確認用信号を受信し、携帯制御部２１へ出力する。この場合、携帯受信部２２は、確認信号受信部として機能する。ＬＦ受信アンテナ２２ａは例えば３軸アンテナであり、車両Ｃに対する携帯機２の向き又は姿勢に拘わらず、一定の受信信号強度が得られる。
【００５３】
受信信号強度測定部２５は、複数のＬＦ送信アンテナ４から送信され、ＬＦ受信アンテナ２２ａが受信した信号の受信信号強度を検出し、検出した受信信号強度を携帯制御部２１へ出力する回路である。
【００５４】
携帯送信部２３はＲＦ送信アンテナ２３ａに接続されており、携帯制御部２１の制御に従って、携帯機２から送信された信号に応じた信号を送信する。位置検出用の信号を携帯機２が受信した場合、携帯制御部２１の制御に従って携帯送信部２３は、車載機１に対する携帯機２の位置を検出するための情報として、受信信号強度測定部２５が測定した受信信号強度を含む応答信号を送信する。携帯送信部２３はＵＨＦ帯の電波を用いて応答信号を送信する。なおＵＨＦ帯は信号を送信する電波帯域の一例であり、必ずしもこれに限定されない。
【００５５】
報知部２６は、例えば、携帯機２を振動させる振動部２６ａ、音を発する音声出力部２６ａ等を備え、携帯制御部２１の制御に従って、携帯機２を振動させ、音を出力する。振動部２６ａは、例えば、バイブモータである。音声出力部２６ａは、電子音を発するスピーカである。
【００５６】
図５は、本発明の実施形態１に係る通信装置３の一構成例を示すブロック図である。通信装置３は、該通信装置３の各構成部の動作を制御する通信制御部３１を備える。通信制御部３１は、例えばマイコンである。通信制御部３１には、記憶部３２、確認信号送信部３３及びドア開閉検出部３４が設けられている。
【００５７】
通信制御部３１は、記憶部３２に記憶されている後述の制御プログラムを読み出し、各構成部の動作を制御することにより、出入口ドアＢ２が開扉した際に、携帯機２にその存在を報知させるための確認信号を送信する処理を実行する。
【００５８】
記憶部３２は、記憶部１４と同様の不揮発性メモリである。記憶部３２は、通信制御部３１が通信装置３の各構成部の動作を制御することにより、出入口Ｂ１の開扉時に携帯機２へ確認信号を送信する処理を実行するための制御プログラムを記憶している。
【００５９】
確認信号送信部３３はＬＦ送信アンテナ３３ａに接続されており、通信制御部３１の制御に従って、通信装置３から送信された信号に応じた確認信号を送信する。確認信号送信部３３はＬＦ帯の電波を用いて確認信号を送信する。なおＬＦ帯は信号を送信する電波帯域の一例であり、必ずしもこれに限定されない。
【００６０】
ドア開閉検出部３４は、出入口ドアＢ２の開扉を検出するセンサであり、例えばリミットスイッチで構成される。ドア開閉検出部３４は、例えば、出入口ドアＢ２が閉扉状態にある場合、ローレベルの信号を通信制御部３１へ出力し、開扉状態にある場合、ハイレベルの信号を通信制御部３１へ出力する。通信制御部３１は、ドア開閉検出部３４から出力される信号に基づいて、出入口ドアＢ２の開閉状態を認識することができる。
【００６１】
図６は、本発明の実施形態１に係る携帯機２の通過報知処理の手順を示すフローチャートである。通信制御部３１は、ドア開閉検出部３４から出力される信号を監視しており、出入口ドアＢ２が開扉したか否かを判定する（ステップＳ１１）。出入口ドアＢ２が閉扉状態にある場合（ステップＳ１１：ＮＯ）、通信制御部３１は処理をステップＳ１１へ戻し、出入口ドアＢ２の開閉状態の監視を継続する。出入口ドアＢ２が開扉状態になった場合（ステップＳ１１：ＹＥＳ）、通信制御部３１は、確認信号送信部３３にて確認信号を送信する（ステップＳ１２）。
【００６２】
携帯機２が出入口Ｂ１付近にある場合、携帯制御部２１は、通信装置３から送信された確認信号を、携帯受信部２２にて受信する（ステップＳ１３）。携帯制御部２１は、確認信号を受信した場合、出入口Ｂ１を通過する旨を報知部２６にて報知し（ステップＳ１４）、処理を終える。例えば、携帯制御部２１は、振動部２６ａにて自装置を振動させ、また音声出力部２６ａにてビープ音等を出力する。
【００６３】
このように構成された通過監視システムによれば、携帯機２を所持した使用者Ａが建物Ｂの出入口Ｂ１を通過する際、携帯機２が所持されていることを携帯機２の報知部２６にて報知することができる。従って、使用者Ａは、携帯機２を忘れずに所持していることを、建物Ｂの出入口Ｂ１を通過する際に認識することができる。
【００６４】
また、通信装置３は、出入口ドアＢ２の開扉を検出した際に確認信号を送信する構成であるため、無駄に確認信号が送信され、携帯機２が無意味な報知を行うことを防止することができる。言い換えると、通信装置３は、使用者Ａが出入口Ｂ１を通過する可能性がある適切なタイミングで確認信号を送信し、携帯機２は出入口Ｂ１の通過を報知することができる。
【００６５】
更に、携帯機２は、自装置の振動又は音によって、自機が出入口Ｂ１を通過する旨を使用者Ａに報知することができる。
【００６６】
（実施形態２）
実施形態２に係る通過報知システムは、報知手段が携帯機２では無く、通信装置２０３側に設けられている点が実施形態１と異なる。以下では主に上記相違点を説明し、対応する箇所には同様の符号を付して、詳細な説明を省略する。
【００６７】
携帯機２の構成は実施形態１と同様である。ただし、報知部２６は必須の構成では無い。携帯機２は、通信装置３から送信された確認信号を受信した場合、携帯送信部２３にて応答信号を送信する。携帯送信部２３は、応答信号送信部として機能する。
【００６８】
図７は、本発明の実施形態２に係る通信装置２０３の一構成例を示すブロック図である。実施形態２に係る通信装置２０３は、実施形態１と同様の通信制御部３１、記憶部３２、確認信号送信部３３及びドア開閉検出部３４を備え、更に、応答信号受信部３５及び報知器３６を備える。
【００６９】
応答信号受信部３５は、確認信号に応じて携帯機２から送信される応答信号を受信するものである。応答信号受信部３５には、ＲＦ受信アンテナ３５ａが接続されている。応答信号受信部３５は、携帯機２から無線により送信される応答信号等を、ＲＦ受信アンテナ３５ａを通じて受信する。
【００７０】
報知器３６は、例えば、光又は音によって、携帯機２が出入口Ｂ１を通過する旨を示す発光部及びスピーカ等である。報知器３６は、通信制御部３１の制御に従って、発光部を発光させ、スピーカから音を出力する。
【００７１】
図８は、本発明の実施形態２に係る携帯機２の通過報知処理の手順を示すフローチャートである。通信制御部３１は、実施形態１と同様、出入口ドアＢ２が開扉したか否かを判定する（ステップＳ２１１）。出入口ドアＢ２が閉扉状態にある場合（ステップＳ２１１：ＮＯ）、通信制御部３１は処理をステップＳ２１１へ戻し、出入口ドアＢ２の開閉状態の監視を継続する。出入口ドアＢ２が開扉状態になった場合（ステップＳ２１１：ＹＥＳ）、通信制御部３１は、確認信号送信部３３にて確認信号を送信する（ステップＳ２１２）。
【００７２】
携帯機２が出入口Ｂ１付近にある場合、携帯制御部２１は、通信装置２０３から送信された確認信号を、携帯受信部２２にて受信する（ステップＳ２１３）。携帯制御部２１は、確認信号を受信した場合、携帯送信部２３にて応答信号を通信装置２０３へ送信する（ステップＳ２１４）。
【００７３】
通信装置２０３は、確認信号を送信した場合、所定時間の間、携帯機２から送信される応答信号を監視し（ステップＳ２１５）、応答信号を受信したか否かを判定する（ステップＳ２１６）。応答信号を受信していないと判定した場合（ステップＳ２１６：ＮＯ）、通信制御部３１は、処理をステップＳ２１１へ戻す。応答信号を受信したと判定した場合（ステップＳ２１６：ＹＥＳ）、通信装置２０３は、携帯機２が出入口Ｂ１を通過する旨を報知器３６にて報知し（ステップＳ２１７）、処理をステップＳ２１１へ戻す。
【００７４】
実施形態２に係る通過報知システムによれば、携帯機２を所持した使用者Ａが建物Ｂの出入口Ｂ１を通過する際、携帯機２が所持されていることを通信装置２０３が報知することができる。携帯機２では無く、通信装置２０３が報知を行うため、携帯機２にて報知を行う場合に比べて、より確実に使用者Ａに携帯機２の所持を通知することができる。
【００７５】
（実施形態３）
実施形態３に係る通過報知システムは、使用者Ａが携帯機２を所持していない場合に通信装置２０３が報知を行う点が実施形態２と異なる。以下では主に上記相違点を説明し、対応する箇所には同様の符号を付して、詳細な説明を省略する。
【００７６】
図９は、本発明の実施形態３に係る携帯機２の通過報知処理の手順を示すフローチャートである。実施形態３に係る通信装置２０３及び携帯機２は、実施形態２におけるステップＳ２１１〜ステップＳ２１５と同様の処理をステップＳ３１１〜ステップＳ３１５にて実行する。そして、通信制御部３１は、応答信号を受信したか否かを判定する（ステップＳ３１６）。応答信号を受信していないと判定した場合（ステップＳ３１６：ＮＯ）、通信装置２０３は、使用者Ａが携帯機２を所持していない旨を報知器３６にて報知し（ステップＳ３１７）、処理をステップＳ３１１へ戻す。応答信号を受信したと判定した場合（ステップＳ３１６：ＹＥＳ）、通信制御部３１は、処理をステップＳ３１１へ戻す。
【００７７】
実施形態３に係る通過報知システムによれば、携帯機２を所持し忘れた使用者Ａが建物Ｂの出入口Ｂ１を通過する際、携帯機２を所持し忘れていることを通信装置２０３が報知することができる。
【符号の説明】
【００７８】
１  車載機
２  携帯機
３、２０３  通信装置
４  ＬＦ送信アンテナ
５  リクエストスイッチ
６  ドア施錠装置
１０  ＲＦ受信アンテナ
１１  車載制御部
１２  車載受信部
１３  車載送信部
１４  記憶部
２１  携帯制御部
２２  携帯受信部
２２ａ  ＬＦ受信アンテナ
２３  携帯送信部
２３ａ  ＲＦ送信アンテナ
２４  携帯記憶部
２５  受信信号強度測定部
２６  報知部
２６ａ  振動部
２６ｂ  音声出力部
３１  通信制御部
３２  記憶部
３３  確認信号送信部
３３ａ  ＬＦ送信アンテナ
３４  ドア開閉検出部
３５  応答信号受信部
３５ａ  ＲＦ受信アンテナ
３６  報知器
Ａ  使用者
Ｂ  建物
Ｂ１  出入口
Ｂ２  出入口ドア
Ｃ  車両
【図１】
2017174338.tif 000003
【図２】
2017174338.tif 000004
【図３】
2017174338.tif 000005
【図４】
2017174338.tif 000006
【図５】
2017174338.tif 000007
【図６】
2017174338.tif 000008
【図７】
2017174338.tif 000009
【図８】
2017174338.tif 000010
【図９】
2017174338.tif 000011